(57)【要約】【課題】横桟が内部に収納されていて外部に露出せず、埃が溜まりにくく且つ強度的に優れた透光パネルを提供するにある。【解決手段】透光パネルＡは、枠体１、横桟５、透光板７及び縦桟８とで構成される。枠体１は左右一対で、その対向内面の表裏両角部を長手方向に沿って段状に切落して形成されたパネル端取付段部３ａを有する。横枠材２は縦枠材３の上下両端にそれぞれ架設される。横桟５はパネル端取付段部３ａ間の前後幅Ｌに等しい前後幅を有し、前記縦枠材３間に架設される。透光板７は枠体１の表裏に配設され、横桟５及びパネル端取付段部３ａに固定される。縦桟８は横桟５に交差するように配設され、前記透光板７の外面にそれぞれ固着される。【選択図】図５
2016176217.tif 000002
【特許請求の範囲】
【請求項１】
左右一対で、その対向内面の表裏両角部を長手方向に沿って段状に切落して形成されたパネル端取付段部を有する縦枠材と、前記縦枠材の上下両端にそれぞれ架設された横枠材とで構成された枠体と、
前記パネル端取付段部間の縦枠材の内面の前後幅に等しい前後幅を有し、前記縦枠材間に架設された横桟と、
枠体の表裏に配設され、横桟及びパネル端取付段部に固定された透光板と、
前記横桟に交差するように配設され、前記透光板の外面にそれぞれ固着された縦桟とで構成されたことを特徴とする透光パネル。
【請求項２】
透光板は横桟及びパネル端取付段部にビス止めされることを特徴とする請求項１に記載の透光パネル。
【請求項３】
透光板を横桟に固定するビスの頭頂部は略平面に形成されており、透光板の外面にそれぞれ固着される縦桟は、透光板を通して横桟に打ち付けられたビスの頭頂部を覆うように透光板に固着されていることを特徴とする請求項１又は２に記載の透光パネル。
【請求項４】
縦桟に合わせて透光板に遮蔽部を設けたことを特徴とする請求項１〜３のいずれかに記載の透光パネル。
【請求項５】
請求項１〜４のいずれかに記載された透光パネルと、
透光パネルの縦枠材を収納して固着する収納溝が設けられた縦框とで構成されたことを特徴とする建材。
【発明の詳細な説明】
【技術分野】
【０００１】
本発明は埃の溜まりにくく且つパネル強度に優れ、内部に架設され透光板に挟まれた横桟をしっかりと固定できる格子状或いは縦桟模様の透光パネル及びそれ用いた間仕切りや戸などの建材に関する。
【背景技術】
【０００２】
間仕切りや戸などの建材には見通しをよくしたり、又は採光のために採光部を形成したものがある。従来の採光部を有する建材には、採光部に１枚のガラスやアクリル板などの透光性パネルを嵌め込んだものや、採光部の表裏両面に２枚の透光性パネルを嵌め込んだ、所謂２重ガラス構造のものとがある。
【０００３】
採光部に１枚の透光性パネルを嵌め込んだ間仕切パネル（特許文献１）では、透光性パネルの補強と装飾のためその両面に格子が嵌め込まれているものがある。このような間仕切パネルでは、横桟の上に埃がたまりやすく、掃除をしたとしても縦桟と横桟の隅に埃が残りきれいに清掃することができないという問題があった。その他、透光性パネルが１枚では、断熱性や遮音性に乏しいという問題もあった。
【０００４】
これに対して特許文献２の図１〜３に記載されている間仕切パネルは、縦枠材間に横枠材が架設された方形の枠体に複数本の縦桟を複雑なバネ機構で取り付け、この縦桟を表裏から挟むようにその両側に疑似横桟を数段に亘って取り付け、この疑似横桟間に横長の透光性パネルを取り付けて枠体をカバーしたものである。これにより枠体内において、表裏二枚の透光性パネルの間に設けられた縦桟と上下の透光性パネルに嵌め込まれた疑似横桟により、採光部にあたかも格子が設けられたように見えるとしている。
【先行技術文献】
【特許文献】
【０００５】
【特許文献１】実開昭６２−１６６９９３号公報
【特許文献２】特許４３０３８５３号公報
【発明の概要】
【発明が解決しようとする課題】
【０００６】
しかしながらこの場合、埃のたまらない縦桟が２枚の透光性パネルの間に設けられ、埃のたまりやすい疑似横桟が外部に露出しているため、掃除をした時疑似横桟の隅に埃が依然として残留する。
【０００７】
なお、特許文献２の段落番号００２３に、上記の分割された透光性パネルを１枚のパネルとし、その中間部に左右方向を向く金属板またはテープなどを貼着するか、または単に着色する手段により、擬似横桟を形成してもよい。この場合、透光性パネルの内面を、緩衝材を介して縦桟の前後面に当接させるようにするのがよい、と記載されている。この場合、金属板は兎も角、薄いテープでは埃が溜まりにくい（但し、薄いテープの粘着層がテープの端面に露出している場合は、ここに埃が堆積することは避けられない。）とは言えるものの、透光性パネルは表裏から長い縦桟および横桟だけで挟まれるだけであり、これらに固定されていないためパネル強度が弱く、採光部内での暴れや透光性パネルが割れる危険性があるというパネル全体としても強度不足という問題もあった。加えて、その構造も複雑で格子組に非常に手間がかかるため生産性が悪いという問題もある。そこで埃と強度対策を兼ねて前後２枚の透光性パネルの間にて横桟を架設することも考えられるが、細長い横桟の固定が両側の縦枠材へのビス固定だけであるため、ドアとして使用した場合、開閉の衝撃で細長い横桟がバタつく恐れがある。
【０００８】
本発明は、横桟が内部に収納されていて外部に露出せず、埃が溜まりにくく且つ強度的に優れ、ドアとして使用した場合でも開閉の衝撃で細長い横桟がバタつかない透光パネルおよびそれを用いた建材を提供するにある。
【課題を解決するための手段】
【０００９】
請求項１は、前記課題を達成するための透光パネルＡに関し、
左右一対で、その対向内面３ｂの表裏両角部を長手方向に沿って段状に切落して形成されたパネル端取付段部３ａを有する縦枠材３と、前記縦枠材３の上下両端にそれぞれ架設された横枠材２とで構成された枠体１と、
前記パネル端取付段部３ａ間の縦枠部３の内面３ｂの前後幅Ｌに等しい前後幅を有し、前記縦枠材３間に架設された横桟５と、
枠体１の表裏に配設され、横桟５及びパネル端取付段部３ａに固定された透光板７と、
前記横桟５に交差するように配設され、前記透光板７の外面にそれぞれ固着された縦桟８とで構成されたことを特徴とする。
【００１０】
請求項２は、請求項１において、透光板７は横桟５及びパネル端取付段部３ａにビス止めされることを特徴とする。
【００１１】
請求項３は、請求項１又は２において、透光板７及び横桟５に固定するビス４、及び固着される縦桟８の取り付け位置に関し、透光板７を横桟５に固定するビス４の頭頂部４ａは略平面に形成されており、透光板７の外面にそれぞれ固着される縦桟８は、透光板７を通して横桟５に打ち付けられたビス４の頭頂部４ａを覆うように透光板７に固着されていることを特徴とする。
【００１２】
請求項４は、請求項１〜３のいずれかにおいて、縦桟８に合わせて透光板７に遮蔽部７ａを設けたことを特徴とする。
【００１３】
請求項５は請求項１〜４のいずれかに記載された透光パネルＡを利用した戸や間仕切りなどの建材Ｂに関し、
請求項１〜４のいずれかに記載された透光パネルＡと、
透光パネルＡの縦枠材３を収納して固着する収納溝１０ｄが設けられた縦框１０とで構成されたことを特徴とする。
【発明の効果】
【００１４】
本発明は、枠体１内に組み込まれた横桟５の前後幅Ｌと、縦枠材３のパネル端取付段部３ａ間の内面３ｂの前後幅Ｌが等しいので、枠体１内の表裏両面に張られた一対の透光板７を横桟５とパネル端取付段部３ａに固着することが出来る。これによってこれらは一体化されて強度が飛躍的に高まり、従来は広い採光面により強度不足が指摘され、枠体１が歪んだり反ったりしていたものが、本発明では解消されこのようなことがない。そして、この透光パネルＡを組み込んでドアとして使用した場合、細長い横桟５が表裏の透光板７に固定されているので、開閉の衝撃を受けてもバタつかない。なお、ビス４によるビス止めであれば、接着或いはその他の固着方法に比べて固着強度や安定性が高く、衝撃の掛るような建材Ｂ（例えば、上記のようなドア）に組み込んでもバタつきのような問題をより生じることがない。
【００１５】
そしてその場合、透光板７を固定するビス４の頭頂部４ａが略平面に形成されているものを使用すれば、ビス４にて透光板７を縦枠材３とパネル端取付段部３ａや横桟５にビス止めした時、頭頂部４ａが透光板７の表面とほぼ面一になり、横桟５に交差して配設され、ビス４を隠すためにその上に取り付けられる縦桟８を透光板７の表面に取り付ける時に障害とならず、取り付けやすい。
【００１６】
このようにして図１(a)〜(c)のように縦桟８を外桟とすると、埃やちりが積もりやすい横桟５が透光板７に挟まれた内桟となり、透光パネルＡとしては埃やちりが積もらない構造とすることができる。
【００１７】
加えて、縦桟８に合わせて透光板７に遮蔽部７ａを設けておけば、外側から反対側の縦桟８が見えず、外観を向上させることが出来る。
【００１８】
横残５と縦桟８とは、通常、９０°又はこれに近い角度で交差させて枠体１に取り付けられる。横残５が複数本の場合、透光パネルＡは格子状となり、縦桟８が複数本で横残５が１乃至数本で縦桟８同士の左右間隔より横残５同士の上下間隔の方がかなり広い場合は、縦桟模様となる。なお、両者５・８は「交差」して設けられるから、交差角度は９０°又はこれに近い角度に限られない。
【００１９】
また、この透光パネルＡの縦枠材３を、縦框１０の収納溝１０ｄに収納固着すれば直ちに採光部を有する間仕切りや戸などの建材Ｂとして使用することができる。
【図面の簡単な説明】
【００２０】
【図１】(a)〜(c)は本発明にかかる建材（戸）の正面図である。
【図２】図１(a)の上部分解斜視図である。
【図３】図１(a)のＸ−Ｘ断面図である。
【図４】図１(a)のＹ−Ｙ断面図である。
【図５】図１(a)の中央部分を省略した本発明にかかる建材（戸）の分解斜視図である。
【発明を実施するための形態】
【００２１】
以下、本発明を図示実施例に従って説明するに当たって、まず、発明の透光パネルＡについて説明する。図２のように、透光パネルＡの枠体１は、左右一対の縦枠材３の上端と下端とに横枠材２が架け渡され、ビス４の打ち込みにて架設されて形成される。そしてこのような枠体１とされた状態において、縦枠材３の対向内面の表裏両角部は、長手方向に沿って段状に切落され、上下全長に亘ってパネル端取付段部３ａが形成されている。ここでこの前面側と裏面側のパネル端取付段部３ａの間の内面３ｂの前後幅をＬとする。なお、これに限定されるものではないが、前記パネル端取付段部３ａの深さは後述する透光板７の厚みに等しく切落するのが好ましい。
【００２２】
図１(ａ)の場合、上下の横枠材２間において、ビス４の打ち込みにて左右の縦枠材３間に複数（本図の実施例では１２本）の横桟５が等間隔で架設されている。これに対して、図１(ｂ)(ｃ)では中央に１本の横桟５が架設されている。なお、いずれの図も横桟５は水平に架設されているが、水平に限られず傾斜していてもよい。また、等間隔でなくてもよいし、デザインに合わせて異なる間隔もよい。そして横桟５の表面側と裏面側との間の前後幅をＬとすると、この前後幅Ｌは前記パネル端取付段部３ａ間の前後幅Ｌと等しい。なお、縦枠材３、横枠材２及び横桟５の材質は、いずれも木質材（例えば、無垢材、集成材、ＭＤＦ（中密度繊維板）、合板）からなるが、これに限られず樹脂材でもよい。また、これら木質材は必要に応じて化粧シート（図示せず）が外部から見える面に貼着されている。取り付けに当たっては、横桟５の表裏両面はパネル端取付段部３ａに面一に取り付けられる。なお、枠体１や横桟５の組み立てはビス固定が好ましいが、これに限られず接着その他の固着手段を採用してもよいことは言うまでもない。
【００２３】
透光板７は、例えば、無色あるいは有色で透明または半透明の樹脂板（例えば、アクリル板）で、その厚みは、パネル端取付段部３ａの切落深さに等しい。そして、ビス固定の場合には、ビス４の打ち込み箇所に図示しないビス孔及びビス頭が入り込む座繰りが形成されている。そして、透光板７には後述する縦桟８に一致する位置に遮蔽部７ａが設けられる。遮蔽部７ａは、透光パネルＡとした場合に、一方の側から見た時、反対側の縦桟８を隠す或いは仮に見えたとしても意匠性が損なわれないようにするためのもので、縦桟８の左右幅にほぼ等しく、透光板７の上下全長に亘って設けられる。遮蔽部７ａは塗装、印刷又はテープの貼り付けなどにより形成される。遮蔽部７ａ部分の色や模様は、縦桟８と同色又は黒或いは白、その他適宜の色が選定され、模様があれば縦桟８に合わせたものが選ばれる。遮蔽部７ａ部分は不透明としてもよいが、反対側の縦桟８が認識できなければ半透明としてもよい。
また、透光板７が半透明の場合、光は通過し、横桟５はある程度見えるが反対側の縦桟８の裏面はよく見えない状態のものが好ましい。
【００２４】
ビス４が使用される場合は次のようなものが使用される。ビス４は外周に雄ネジが刻設されているネジ足と、頭部とで構成された市販のもので、頭頂部４ａは略平面に形成されており、ドライバー溝が刻設されている。
【００２５】
縦残８は、基本的には横枠材２などと同様の木質材で、細長い縦断面長方形の長尺材である。ＭＤＦや合板など表面性状が外観的に劣るもののようなものが使用される場合には、外面に現れる部分は、図示しない化粧シートによってラッピングされる。この場合、化粧シートが巻かれていない縦残８の透光板７への取付面の目隠しのため、前述の遮蔽部７ａの存在や半透明透光板７が役立つ。なお、場合に依っては、樹脂成形品或いは金属板なども使用される。縦残８の長さは縦枠材３或いは上下の横枠材２間の距離に等しい。この場合も材質としては縦枠材３などと同様で且つ必要に応じて化粧シート（図示せず）が同様に貼着されている。
【００２６】
枠体１は上記のように縦枠材３と横枠材２とで方形に組まれ、その間に１本の横残５が、複数本の場合には所定の間隔で内残として架設されている。いずれもビス打ち或いは接着その他の方法で固定される。
【００２７】
続いて、その表裏に透光板７が配設され、透光板７の両端が縦枠材３のパネル端取付段部３ａに嵌め込まれ、ビス４にて或いは接着その他の方法で横桟５とパネル端取付段部３ａとに固定される。この時、遮蔽部７ａが設けられている場合には、遮蔽部７ａが縦桟８に接するように配置してもよいが、遮蔽部７ａが横桟５に接するように取り付けることが外観上好ましい。ビス４を用いる場合、ビス４の打ち方は、外部にビス頭が見えないように縦残８が接着される部位が選定される。ビス頭の頭頂部４ａは、略平面に形成されているので、打ち込まれたビス４の頭頂部４ａは、座繰りによって透光板７の表面に面一になる。
なお、透光板７の高さは縦枠材３の長さと等しく透光板７の上下端面は、横枠材２に重ならず接する状態になる。勿論、横枠材２にもパネル端取付段部３ａに対応するような段部を形成し、前述の透光板７より全長を若干長くしてこの部分に透光板７の上下端部をビス打ち或いは接着その他の方法で固定してもよい。
【００２８】
ビス打ち或いは接着その他の方法での固定が終了すると、ビス４の頭頂部４ａに合わせて縦桟８が例えば両面テープ或いは接着剤を利用して透光板７の外面に接着される。図１(ａ)では、縦桟８の全長は透光板７より長く、上下の横枠材２の上下面まで伸びる。従って、後述する框材１０ｂと同じ長さになる。これにより、縦桟８は透光パネルＡの全長に亘って所定の間隔を以って貼り付けられる。図１(ｂ)(ｃ)では、長短２種類の縦桟８が存在するが、長い縦桟８は透光パネルＡの全長に亘って貼り付けられる。短い縦桟８は透光パネルＡより短く、上下の横枠材２に届かない長さである。なお、透光板７の固定はビスによる場合が強度面で最も好ましいが、勿論、これに限られず上記のように、接着剤や両面テープその他の手段により両者を固着するも可能である。また、いずれの縦桟８も垂直に貼り付けられるようになっているが、勿論、これに限られず傾斜させてもよい。長さも長短２種類に限られず３種類以上でもよい。
【００２９】
最後に、透光パネルＡの表裏両面において、その上下の横枠材２の高さと縦桟８間の長さ或いは両端の縦桟８と後述する框材１０ｂのカバー片１０ｃとの間の距離に合わせて形成された、本実施例では四角形の飾りパネル９を上下の横枠材２上に貼着し、上下の横枠材２の露出部分を被覆する。飾りパネル９の表面には必要に応じて前述同様図示しない化粧シートが貼着されている。これにより強度的に優れた透光パネルＡを得ることが出来る。
【００３０】
次に、この透光パネルＡを間仕切りや戸などの建材Ｂの部材として用いる場合に付いて説明する。建材Ｂとして用いる場合は、透光パネルＡの少なくとも一方の側端に縦框１０を設けることになるが、この縦框１０は、例えばコ字状のアルミサッシ製の框材１０ｂと、框材１０ｂの内側奥と開口付近で、縦枠材３が丁度嵌まり込むスペースを空けて内側に取り付けられた芯材１０ａとで構成されている。そして透光パネルＡの縦枠材３の全体が嵌め込まれる開口部分を収納溝１０ｄとし、収納溝１０ｄを構成する框材１０ｂの延出部分をカバー片１０ｃとする。そして、図５のように収納溝１０ｄに透光パネルＡの縦枠材３の全体を嵌め込み、縦枠材３を開口側の芯材１０ａに接着固定する。これによりパネル端取付段部３ａは収納溝１０ｄ内に入り込み、ビス打ちされた透光板７の側端部がカバー片１０ｃによって隠される。
【００３１】
本実施例では左右の縦框１０は対称であるが、勿論、非対称であってもよいし、場合に依っては一方だけでもよい。これにより建材Ｂ（例えば、間仕切りや戸）が出来上がる。
【符号の説明】
【００３２】
Ａ：透光パネル、Ｂ：建材、Ｌ：前後幅、１：枠体、２：横枠材、３：縦枠材、３ａ：パネル端取付段部、３ｂ：内面、３ｃ：内側面、４：ビス、４ａ：頭頂部、５：横桟、７：透光板、７ａ：遮蔽部、８：縦桟、９：飾りパネル、１０：縦框、１０ａ：芯材、１０ｂ：框材、１０ｃ：カバー片、１０ｄ：収納溝。
【図１】
2016176217.tif 000003
【図２】
2016176217.tif 000004
【図３】
2016176217.tif 000005
【図４】
2016176217.tif 000006
【図５】
2016176217.tif 000007